(57)【要約】【課題】バンド部材とバンド保持部とを別々に形成しつつも、結束後におけるバンド部材の緩みを抑制する。【解決手段】本明細書によって開示される電線結束部材は、複数の電線Ｗに巻き付けられる帯状のバンド部材２０と、バンド部材２０とは別体に設けられたバンド保持部４０とを備え、バンド保持部４０は、バンド部材２０に設けられた第１係止歯２３と係止することでバンド部材２０の一方の端部２０Ａを保持しつつ、バンド部材２０を右方に引き出す第１ロック部４１と、下方からバンド部材２０の他方の端部２０Ｂが挿通されるバンド挿通孔５１を有し、バンド部材２０に設けられた第２係止歯２６と係止することでバンド部材２０を抜け止めする第２ロック部５０とを有している構成とした。【選択図】図９
2016188095.tif 000002
【特許請求の範囲】
【請求項１】
複数の電線を一括して束ねるようにして前記電線に巻き付けられる帯状のバンド部材と、
前記バンド部材とは別体に設けられたバンド保持部とを備え、
前記バンド保持部は、前記バンド部材の一方の端部が組み付けられ、前記バンド部材に設けられた第１係止歯と係止することで前記バンド部材を保持しつつ、前記バンド部材を前記一方の端部を組み付ける方向とは反対方向に引き出す第１ロック部と、
前記第１ロック部における前記バンド部材が引き出される方向と異なる方向から前記バンド部材の他方の端部を挿通し、前記バンド部材に設けられた第２係止歯と係止することで前記バンド部材を前記他方の端部の挿入方向と反対方向に抜け止めする第２ロック部とを有している電線結束部材。
【請求項２】
前記第１ロック部は、前記バンド部材の引き出し方向に沿って真っ直ぐ延びる支持壁を内側に有して前記バンド部材の前記一方の端部が組み付け方向に挿入される収容部を備えており、
前記収容部内には、前記バンド部材の前記一方の端部が挿入される際に前記第１係止歯が乗り上げて弾性変位し、前記バンド部材が前記収容部内に収容されると、前記第１係止歯と係止すると共に、前記バンド部材を前記支持壁に沿わせるように支持する弾性係止片が設けられている請求項１に記載の電線結束部材。
【請求項３】
前記バンド部材は、第１ロック部から前記第２ロック部に向けて屈曲されており、
前記支持壁は、前記収容部のうち、前記バンド部材が屈曲される方向とは反対側の位置に設けられている請求項２に記載の電線結束部材。
【請求項４】
前記弾性係止片は、前記収容部内に複数設けられている請求項２または請求項３に記載の電線結束部材。
【請求項５】
前記バンド部材において前記電線に接触する側の電線接触面と、前記バンド部材において前記電線接触面とは反対側の電線非接触面とのいずれか一方の面に複数の前記第１係止歯が設けられ、他方の面に複数の前記第２係止歯が設けられており、
前記電線接触面および前記電線非接触面のいずれか一方には、目印が設けられている請求項１から請求項４のいずれか一項に記載の電線結束部材。
【請求項６】
前記バンド保持部において前記バンド部材が挿入される開口縁には、奥部に向かうほど内側に向かって傾斜する案内面が設けられている請求項１から請求項５のいずれか一項に記載の電線結束部材。
【発明の詳細な説明】
【技術分野】
【０００１】
本明細書によって開示される技術は、電線結束部材に関する。
【背景技術】
【０００２】
従来、複数の電線を結束する電線結束部材として、例えば、特開２０１０−２３３３００号公報（下記特許文献１）に記載のものが知られている。この電線結束部材は、電線に巻き付けることで複数の電線を一括して束ねるバンド部材と、複数の電線を束ねたバンド部材が挿通されて抜け止めされる挿通孔が設けられた支柱部とを備えており、バンド部材は、リールに巻かれたバンド部材から複数の電線を束ねるために必要な分だけを引き出して切断することにより構成される。
【０００３】
バンド部材は、複数の電線を束ねてループ状に湾曲させた状態で、その両端部が支柱部の挿通孔に同時に同一の方向から重ね合わされた状態で挿入されるようになっており、挿通孔に挿通されたバンド部材の表面に設けられた係止凹部と挿通孔の内壁に設けられた係合爪とが係止することで、バンド部材が挿通孔内に抜け止めされ、複数の電線が結束された状態に保持される。
【先行技術文献】
【特許文献】
【０００４】
【特許文献１】特開２０１０−２３３３００号公報
【発明の概要】
【発明が解決しようとする課題】
【０００５】
ところで、上記の電線結束部材の場合、バンド部材によって複数の電線を束ねつつ、バンド部材の両端部を支柱部の挿通孔に同時に同一の方向から挿入する必要があるため、バンド部材の一方の端部が支柱部に固定されている場合に比べて作業性が低下してしまう。また、バンド部材は、一般に電線に巻き付けてループ状に湾曲させた後においても、湾曲させる前の状態に戻ろうとするため、上記の電線結束部材の場合、バンド部材の結束後においても、バンド部材の両端部を重ね合わせはじめる部分に隙間が生じ易く、電線が引っ張られるなどした際には、その隙間に電線が入り込むことでバンド部材の結束に緩みが生じてしまう虞がある。
【０００６】
本明細書では、バンド部材とバンド部材を係止する部材とを別々に形成しつつも、結束後におけるバンド部材の緩みを抑制する技術を開示する。
【課題を解決するための手段】
【０００７】
本明細書によって開示される技術は、複数の電線を一括して束ねるようにして前記電線に巻き付けられる帯状のバンド部材と、前記バンド部材とは別体に設けられたバンド保持部とを備え、前記バンド保持部は、前記バンド部材の一方の端部が組み付けられ、前記バンド部材に設けられた第１係止歯と係止することで前記バンド部材を保持しつつ、前記バンド部材を前記一方の端部を組み付ける方向とは反対方向に引き出す第１ロック部と、前記第１ロック部における前記バンド部材が引き出される方向と異なる方向から前記バンド部材の他方の端部を挿通し、前記バンド部材に設けられた第２係止歯と係止することで前記バンド部材を前記他方の端部の挿入方向と反対方向に抜け止めする第２ロック部とを有している構成とした。
【０００８】
このような構成の電線結束部材によると、まず、バンド部材の一方の端部がバンド保持部の第１ロック部に組み付けられることで、バンド部材の一方の端部がバンド保持部の第１ロック部に保持される。
次に、バンド部材の一方の端部が第１ロック部に保持された状態でバンド部材を複数の電線に巻き付け、バンド部材の他方の端部を第２ロック部に挿通することで、バンド部材と第２ロック部とを係止させることができる。つまり、バンド部材とバンド保持部とを個別に構成しつつも、バンド部材の両端部をバンド保持部に組み付ける場合に比べて、バンド部材の組み付け作業の作業性を向上させることができる。
【０００９】
また、上記の構成によると、第２ロック部へのバンド部材の挿入方向を、バンド部材が第１ロック部から引き出される方向とは異なる方向に設定することで、第１ロック部から引き出されるバンド部材と第２ロック部から電線側に引き出されるバンド部材との間に角度を持たせることができるから、第１ロック部および第２ロック部から引き出されるバンド部材の方向が同一となって両バンド部材間に角度を持たせることができない場合に比べて、バンド部材を急激に曲げて結束する必要がなく、第１ロック部と第２ロック部との間において隙間ができることを抑制することができる。これにより、バンド部材の結束後においても、バンド部材の結束に緩みが生じることを防ぐことができる。
【００１０】
本明細書によって開示される電線結束部材は、以下の構成としてもよい。
前記第１ロック部は、前記バンド部材の引き出し方向に沿って真っ直ぐ延びる支持壁を内側に有して前記バンド部材の前記一方の端部が組み付け方向に挿入される収容部を備えており、前記収容部内には、前記バンド部材の前記一方の端部が挿入される際に前記第１係止歯に乗り上げて弾性変位し、前記バンド部材が前記収容部内に収容されると、前記第１係止歯と係止すると共に、前記バンド部材を前記支持壁に沿わせるように支持する弾性係止片が設けられている構成としてもよい。
【００１１】
このような構成によると、収容部から引き出されたバンド部材を屈曲させても、バンド部材が支持されて支持壁に沿って配された状態となるから、収容部内においてバンド部材を傾けることなくバンド部材を真っ直ぐに引き出することができる。
つまり、バンド部材が屈曲する方向に傾くことで、第１ロック部から引き出されるバンド部材と第２ロック部から引き出されるバンド部材との間の角度が小さくなることが原因で第１ロック部と第２ロック部との間に隙間ができ易くなることを防ぐことができる。
【００１２】
前記バンド部材は、第１ロック部から前記第２ロック部に向けて屈曲されており、前記支持壁は、前記収容部のうち、前記バンド部材が屈曲される方向とは反対側の位置に設けられている構成としてもよい。
このような構成によると、バンド部材が屈曲された際に、バンド部材の一方の端部が支持壁に押し付けられて支持されることになるから、バンド部材が屈曲する方向に傾くことをさらに抑制することができる。
【００１３】
前記弾性係止片は、前記収容部内に複数設けられている構成としてもよい。
このような構成によると、複数の弾性係止片よってバンド部材の第１係止歯が係止されて抜け止めされるから、第１ロック部の保持力を向上させることができる。つまり、第２ロック部に挿通されたバンド部材の他方の端部を引っ張って、複数の電線を締め付けて束ねる際に、バンド部材の引っ張りによって第１ロック部からバンド部材が外れてしまうことを抑制することができる。
【００１４】
前記バンド部材において前記電線に接触する側の電線接触面と、前記バンド部材において前記電線接触面とは反対側の電線非接触面とのいずれか一方の面に複数の前記第１係止歯が設けられ、他方の面に複数の前記第２係止歯が設けられており、前記電線接触面および前記電線非接触面のいずれか一方には、目印が設けられている構成としてもよい。
電線接触面と電線非接触面において係止歯の並びや係止歯の大きさが異なる場合、電線接触面と電線非接触面とが反転していると第１ロック部にバンド部材を組み付けたり、第２ロック部にバンド部材を挿通させたりすることができなくなってしまう。ところが、上記の構成によると、目印を確認することで、電線接触面と電線非接触面とを容易に確認することができるから、電線接触面と電線非接触面とを反転させた状態でバンド部材を誤って組み付けることを抑制することができる。
【００１５】
前記バンド保持部において前記バンド部材が挿入される開口縁には、奥部に向かうほど内側に向かって傾斜する案内面が設けられている構成としてもよい。
例えば、バンド部材の端部を先細りにするなどバンド部材を加工することが困難な場合には、案内面によってバンド部材を開口内に案内して、バンド部材の挿入作業を円滑に行うことができるから、案内面を設けることは、非常に有効である。
【発明の効果】
【００１６】
本明細書によって開示される技術によれば、バンド部材とバンド部材を係止するバンド保持部とを別々に形成しつつも、結束後におけるバンド部材の緩みを抑制することができる。
【図面の簡単な説明】
【００１７】
【図１】実施形態１にかかる電線結束部材の斜視図
【図２】同平面図
【図３】図２のＡ−Ａ線断面図
【図４】図１におけるバンド部材の他方の端部の拡大斜視図
【図５】図４における他方の端部を上下反転させた状態を示す拡大斜視図
【図６】図３におけるバンド部材の他方の端部の拡大断面図
【図７】バンド保持部にバンド部材を組み付ける前の状態を示す斜視図
【図８】バンド部材によって複数の電線を束ねた状態を示す断面図
【図９】バンド部材によって複数の電線を束ねて、余ったバンド部材を切断した状態を示す断面図
【図１０】第２ロック部にバンド部材の他方の端部を挿通させる過程を示した断面図
【発明を実施するための形態】
【００１８】
＜実施形態＞
実施形態について図１から図１０を参照して説明する。
本実施形態は、車両内に配索される複数の電線Ｗを一括して束ねる電線結束部材１０を示している。なお、以下の説明において、上下方向とは、図３における上下方向を基準として説明する。
【００１９】
電線結束部材１０は、図１から図３に示すように、複数の電線Ｗを一括して束ねるようにして電線Ｗに巻き付けられるバンド部材２０と、バンド部材２０が組み付けられる別体のバンド保持部４０とを備えて構成されている。なお、複数の電線は、複数種類の電線を組み合わせによって構成されてもよく、全て同一の種類の電線によって構成されてもよい。本実施形態は、複数種類の電線Ｗを組み合わせて構成されている。
【００２０】
バンド部材２０は、図３および図７に示すように、合成樹脂製であって、左右方向に長尺の帯状に形成されている。バンド部材２０の右側の端部である一方の端部２０Ａからバンド部材２０の右側の端部である他方の端部２０Ｂのそれぞれの端面は幅方向に横長な略矩形状をなしており、バンド部材２０の幅寸法は、全長に亘って同一の大きさとされている。
【００２１】
バンド部材２０の下面は、図３に示すように、電線Ｗを束ねる際に、電線Ｗに接触する電線接触面２２とされ、バンド部材２０の上面は、電線Ｗを束ねる際に、電線Ｗに接触しない電線非接触面２１とされている。
電線接触面２２には、図６に示すように、右方に弾性変位可能な複数の第１係止歯２３がバンド部材２０の全長に亘って連続して形成されている。各第１係止歯２３は、バンド部材２０の幅方向両側端部を除くバンド部材２０の全幅に亘って幅広に形成されており、下方に向かうほど右側に傾斜する第１乗り上げ面２４と、第１乗り上げ面２４の下端部から上方に向かって立ち上がる第１係止面２５とを有する断面三角状をなしている。
【００２２】
電線非接触面２１には、図４および図６に示すように、複数の第２係止歯２６がバンド部材２０の全長に亘って連続して形成されている。第２係止歯２６は、垂直に立ち上がる第２係止面２７と、第２係止面２７の上端から下方に向かうほど右側に傾斜する第２乗り上げ面２８とを有する断面三角状をなしており、各第２係止歯２６は、左方に弾性変位可能とされている。
【００２３】
また、各第２係止歯２６は、バンド部材２０の幅方向両端部を除く全幅に幅広な形態で形成されており、第２係止歯２６の幅方向略中央部には、バンド部材２０の全長に亘って延びる目印溝（「目印」の一例）２９が凹設されている。
【００２４】
つまり、バンド部材２０は、図６に示すように、電線接触面２２と電線非接触面２１とにおいて、係止歯２３，２６の乗り上げ面２４，２８と係止面２５，２７とが左右で逆の配置となっており、バンド部材２０を上下に反転させると、係止歯２３，２６の向きが逆向きとなるものの、電線非接触面２１における目印溝２９を確認するだけで、いずれの面が電線非接触面２１または電線接触面２２であるかを容易に判断することができるようになっている。
【００２５】
また、バンド部材２０の幅方両端部は、上下に立ち上がる平坦な壁状の一対の把持部３０とされており、この把持部３０を幅方向両側から指などによって把持することで、三角状の係止歯２３，２６を手で握ったり、指を接触させたりすることなく、バンド部材２０を取り扱うことができるようになっている。
【００２６】
バンド保持部４０は、合成樹脂製であって、図７に示すように、左右方向に長い略方形のブロック状に形成されている。バンド保持部４０の右側半分は、第１ロック部４１とされており、第１ロック部４１はバンド部材２０の一方の端部２０Ａが内部に収容されて組み付けられる収容部４２を有している。
【００２７】
収容部４２は、右方に向けて略矩形状に開口する角筒状に形成されており、収容部４２の右端開口縁部には、図８から図１０に示すように、バンド部材２０の一方の端部２０Ａを収容部４２内に挿入し易くするための案内面４３が設けられている。案内面４３は、収容部４２の奥部に向かうほど収容部４２の軸心側である内側に向かって傾斜した形態とされており、案内面４３がバンド部材２０の一方の端部２０Ａを案内することで、バンド部材２０が収容部４２内に円滑に収容されるようになっている。
【００２８】
収容部４２の内部空間における上下方向の高さ寸法は、図８から図１０に示すように、バンド部材２０の厚さ寸法の２倍以上の寸法に設定されており、電線非接触面２１が上側となるような姿勢でバンド部材２０が収容部４２の上部に収容されるようになっている。
また、収容部４２の上下および幅方向両側の内壁は、左右方向に向けて直線状に延びる平坦な形態とされており、収容部４２における上側の内壁は、収容部４２内にバンド部材２０が収容された際に、バンド部材２０の一方の端部２０Ａにおける電線非接触面２１が左右方向に真っ直ぐに沿って配される第１支持壁（「支持壁」の一例）４４とされている。
【００２９】
収容部４２の下側内壁４２Ａには、複数（本実施形態では２つ）の第１弾性係止片（「弾性係止片」の一例）４５が左右方向に並んで設けられている。各第１弾性係止片４５は、下側内壁４２Ａから垂直に立ち上がる第１被係止面４６と、第１被係止面４６の上端から右方に向かうほど下方に傾斜する第１傾斜面４７とを有する断面三角状に形成されており、各第１弾性係止片４５における第１被係止面４６と第１傾斜面４７との間の角度Ｒ１は、図１０に示すように、バンド部材２０の電線接触面２２において隣り合う第１係止歯２３間の第１係止面２５と第１乗り上げ面２４との間の角度Ｒ２とほぼ同じに設定されている。
【００３０】
また、各第１弾性係止片４５は、左方に弾性変位可能とされており、第１弾性係止片４５の上端部は、図１０に示すように、収容部４２内においてバンド部材２０の第１係止歯２３が進入する領域に配されている。
【００３１】
したがって、バンド部材２０の一方の端部２０Ａを収容部４２内に挿入する際には、各第１弾性係止片４５の第１傾斜面４７に第１係止歯２３の第１乗り上げ面２４が乗り上げて第１弾性係止片４５および第１係止歯２３が共に弾性変位し、第１係止歯２３が各第１弾性係止片４５を乗り越えることで第１弾性係止片４５と第１係止歯２３とが弾性復帰する。そして、複数の第１係止歯２３が各第１弾性係止片４５を乗り越えることで、バンド部材２０が収容部４２内に挿入される。
【００３２】
また、バンド部材２０の一方の端部２０Ａが収容部４２の奥部まで挿入された正規の挿入位置に至ると、図１０に示すように、バンド部材２０の一方の端部２０Ａが複数の第１弾性係止片４５に下方から支持されることで第１支持壁４４に沿って配された状態となると共に、第１弾性係止片４５の第１被係止面４６と、第１係止歯２３の第１係止面２５とが左右方向に係止することで、バンド部材２０の一方の端部２０Ａが収容部４２内に抜け止めされて保持される。これにより、バンド部材２０がバンド保持部４０に一体に固定され、バンド部材２０が組み付けられる方向とは反対方向である右方にバンド部材２０が第１ロック部４１から引き出された状態となる。
【００３３】
一方、バンド保持部４０の左側半分は、図１から図３に示すように、第１ロック部４１より上下方向にやや長い角筒状の第２ロック部５０とされている。第２ロック部５０には、上下方向に貫通するバンド挿通孔５１が設けられており、バンド挿通孔５１は、第２ロック部５０において上下方向両側に略矩形状に開口している。このバンド挿通孔５１には、図８および図９に示すように、第１ロック部４１の右端部から引き出されたバンド部材２０が時計回り方向にループ状に屈曲されることでバンド部材２０の他方の端部２０Ｂが下方から挿入されるようになっており、バンド部材２０をループ状に屈曲させる際に、複数の電線Ｗを一括して束ねるようにしてバンド部材２０を電線Ｗに巻き付ける構成となっている。
【００３４】
バンド挿通孔５１の左右方向の長さ寸法は、図１０に示すように、バンド部材２０の厚さ寸法の２倍以上の寸法に設定されており、電線接触面２２を右側に配した姿勢でバンド部材２０がバンド挿通孔５１の右側半分に収容されるようになっている。また、バンド挿通孔５１の下側の開口縁部にも、収容部４２の開口縁と同様に、バンド挿通孔５１の奥部に向かうほどバンド挿通孔５１の軸心側である内側に向かって傾斜する案内面５１Ａが設けられており、この案内面５１Ａによってバンド部材２０をバンド挿通孔５１内に円滑に挿入することができるようになっている。
【００３５】
また、バンド挿通孔５１の左右および幅方向両側の内壁は、上下方向に向けて真っ直ぐ延びる平坦な形態とされており、バンド挿通孔５１における右側の内壁は、バンド挿通孔５１内にバンド部材２０が挿通された際に、バンド部材２０の電線接触面２２が上下方向に真っ直ぐに沿って配される第２支持壁５２とされている。
【００３６】
バンド挿通孔５１の左側の内壁における上寄りの位置には、図１０に示すように、第２弾性係止片５３が設けられている。第２弾性係止片５３は、バンド挿通孔５１における左側の内壁から右方に向けて水平に延びる第２被係止面５４と、第２被係止面５４の右端部から下方に向かうほど左方に傾斜する第２傾斜面５５とを有する断面三角状に形成されている。第２弾性係止片５３における第２被係止面５４と第２傾斜面５５との間の角度Ｒ３は、バンド部材２０の電線非接触面２１において隣り合う第２係止歯２６間の第２係止面２７と第２乗り上げ面２８との間の角度Ｒ４とほぼ同じに設定されている。
【００３７】
また、第２弾性係止片５３は、上方に弾性変位可能とされており、第２弾性係止片５３の右端部は、図１０に示すように、バンド挿通孔５１においてバンド部材２０の電線非接触面２１における第２係止歯２６が通過する領域に配されている。
【００３８】
したがって、バンド部材２０の他方の端部２０Ｂをバンド挿通孔５１内に挿入する際に、第２弾性係止片５３の第２傾斜面５５に第２係止歯２６における第２乗り上げ面２８が乗り上げて第２弾性係止片５３および第２係止歯２６が共に弾性変位する。そして、第２係止歯２６が第２弾性係止片５３を乗り越えると、第２弾性係止片５３と第２係止歯２６とが弾性復帰することで、バンド部材２０の他方の端部２０Ｂが第２弾性係止片５３に左方から支持されて第２支持壁５２に沿って配された状態となると共に、第２弾性係止片５３の第２被係止面５４と、第２係止歯２６の第２係止面２７とが上下方向に係止する。これにより、バンド部材２０がバンド挿通孔５１内に挿入方向と反対方向に抜け止めされて保持され、バンド部材２０がループ状に屈曲されたままの状態に保持される。
【００３９】
また、バンド部材２０をバンド挿通孔５１に深く挿入すると、図８に示すように、バンド部材２０の他方の端部２０Ｂがバンド挿通孔５１から上方に突出し、バンド挿通孔５１から上方に突出したバンド部材２０の他方の端部２０Ｂを上方に引っ張ることにより、ループ状のバンド部材２０が小径となるように絞られる。これにより、バンド部材２０が巻き付けられた複数の電線Ｗが一括して束ねられて保持されるようになっている。
【００４０】
つまり、本実施形態によると、まず、バンド部材２０の一方の端部２０Ａをバンド保持部４０の第１ロック部４１に組み付けてバンド部材２０をバンド保持部４０に一体に固定する。そして、バンド保持部４０に固定されたバンド部材２０を複数の電線Ｗに巻き付けてバンド部材２０の他方の端部２０Ｂを第２ロック部５０のバンド挿通孔５１に挿通させることで、複数の電線Ｗを一括して束ねた状態に保持することができる。
【００４１】
すなわち、バンド部材２０とバンド保持部４０とを個別に構成しているものの、バンド部材２０を電線Ｗに巻き付ける前にバンド部材２０とバンド保持部４０とを一体に固定しているから、電線結束部材１０を、バンド部材とバンド保持部とが一体に形成されている電線結束部材と同様に取り扱うことができる。
【００４２】
また、本実施形態によると、バンド部材２０は、図９に示すように、第１ロック部４１の収容部４２から右方に引き出されて時計周り方向にループ状に屈曲されることで、第１ロック部４１においてバンド部材２０が引き出された方向（右方）とは異なる下方から第２ロック部５０のバンド挿通孔５１に挿入されている。つまり、第１ロック部４１から引き出されるバンド部材２０と第２ロック部５０から電線Ｗ側に引き出されるバンド部材２０との間の角度Ｒ５を略直角に設定しているから、例えば、第１ロック部からバンド部材が挿入される方向と第２ロック部から電線側にバンド部材が引き出される方向とが同一のものに比べて、バンド部材２０を急激に曲げることなく複数の電線Ｗに巻き付けることができるようになっている。
【００４３】
本実施形態は、以上のような構成であって、続いて、電線結束部材１０の組み立て手順を説明すると共に、電線結束部材１０の作用および効果について説明する。
まず、図７に示すように、バンド保持部４０と長めのバンド部材２０とを用意する。ここで、長めのバンド部材２０は、リールに巻かれた連続するバンド部材から切り出すことにより構成される。
【００４４】
バンド保持部４０とバンド部材２０とが用意できたところで、バンド保持部４０の第１ロック部４１における収容部４２にバンド部材２０の一方の端部２０Ａを右側から挿入する。ここで、バンド部材２０の上面が電線非接触面２１となるようにバンド部材２０をバンド保持部４０に組み付ける必要があるところ、本実施形態によると、バンド部材２０の電線非接触面２１には、目印溝２９が設けられているから、目印溝２９を確認するだけで、いずれの面が電線非接触面２１であるか否かを容易に判断することができる。これにより、電線接触面２２と電線非接触面２１とを反転させた状態でバンド部材２０を収容部４２に誤って組み付けることを抑制することができる。
【００４５】
ところで、リールに巻かれた連続するバンド部材から切り出して構成されるバンド部材２０は、全長に亘って同じ幅寸法に形成されている。このため、バンド部材の端部を先細りに加工したりすることができず、バンド部材を収容部内に円滑に挿入するための手段をバンド部材側に設けることができなくなってしまう。
【００４６】
ところが、本実施形態によると、収容部４２の開口縁部には、案内面４３が設けられおり、バンド部材２０を収容部４２内に挿入する際に、バンド部材２０が案内面４３によって収容部４２内に案内されるから、バンド部材２０を収容部４２内に円滑に収容することができる。
【００４７】
また、バンド部材２０を収容部２４内に挿入する際には、複数の第1係止歯２３が第１弾性係止片４５を乗り越えることになるため、バンド部材２０をしっかりと把持した状態でバンド部２０を収容部２４に挿入しなければならないところ、本実施形態によると、バンド部材２０の幅方両端部には、一対の把持部３０が設けられおり、この一対の把持部３０を幅方向両側から指などによって把持することで、三角状の係止歯２３，２６を手で握ったり、指を接触させたりすることなく、バンド部材２０を収容部４２に挿入することができる。
つまり、本実施形態によると、指などを痛めることなく、バンド部２０の組み付けを行うことができるから、例えば、係止歯に指などを接触させた状態でバンド部を把持した状態でバンド部を収容部に挿入する場合に比べて、バンド部２０の組み付け作業性を向上させることができる。
【００４８】
また、バンド部材２０の一方の端部２０Ａが収容部４２の正規の挿入位置まで挿入されたところで、バンド部材２０の挿入が終了し、第１弾性係止片４５の第１被係止面４６と、第１係止歯２３の第１係止面２５とが左右方向に係止した状態となる。これにより、バンド部材２０の一方の端部２０Ａが収容部４２内に抜け止めされて保持され、バンド部材２０が第１ロック部４１の収容部４２から右方に引き出された状態でバンド保持部４０に一体に固定される。
【００４９】
次に、バンド部材２０の電線接触面２２が電線Ｗに接触するようにしてバンド部材２０を時計回り方向にループ状に屈曲させ、バンド部材２０を複数の電線Ｗに巻き付ける。そして、複数の電線Ｗに巻き付けたバンド部材２０の他方の端部２０Ｂを、バンド保持部４０の第２ロック部５０におけるバンド挿通孔５１に下方から挿入する。なお、バンド挿通孔５１の下側の開口縁部にも、収容部４２の開口縁と同様に、案内面５１Ａが設けられているから、バンド部材２０をバンド挿通孔５１内に円滑に挿入することができる。
【００５０】
そして、バンド部材２０がバンド挿通孔５１に挿入され、バンド部材２０の他方の端部２０Ｂがバンド挿通孔５１から上方に突出したところで、バンド部材２０の他方の端部２０Ｂを上方に引っ張る。すると、図８に示すように、ループ状のバンド部材２０が小径となるように絞られ、第２弾性係止片５３の第２被係止面５４と、第２係止歯２６の第２係止面２７とが上下方向に係止することで複数の電線Ｗが一括して束ねられた状態にバンド部材２０によって保持される。
【００５１】
最後に、図９に示すように、第２ロック部５０から上方に突出したバンド部材２０を切断することで、電線結束部材１０によって束ねられた電線Ｗの束が完成する。
【００５２】
ここで、本実施形態によると、バンド部材２０が、第１ロック部４１の収容部４２から右方に引き出された後、時計周り方向にループ状に屈曲され、第１ロック部４１からのバンド部材２０の引き出し方向（右方）とは異なる下方から第２ロック部５０のバンド挿通孔５１に挿入された状態となっている。
つまり、図９に示すように、第１ロック部４１から引き出されるバンド部材２０と第２ロック部５０から電線Ｗ側に引き出されるバンド部材２０との間の角度Ｒ５を略直角にすることができるから、例えば、第１ロック部からバンド部材が引き出される方向と第２ロック部から電線側にバンド部材が引き出される方向とが同一の方向に設定されている場合に比べて、バンド部材２０を急激に曲げることなく複数の電線Ｗを束ねることができる。これにより、バンド部材２０を急激に曲げることに起因して第１ロック部４１と第２ロック部５０との間において隙間が生じることを抑制し、バンド部材２０の結束後にバンド部材２０に緩みが生じることを防ぐことができる。
【００５３】
ところで、バンド保持部４０の第２ロック部５０から上方に突出したバンド部材２０の他方の端部２０Ｂを上方に引っ張ると、ループ状のバンド部材２０が小径となると共に、バンド部材２０の一方の端部２０Ａが斜め右下方へ引っ張れた状態となるため、収容部４２内においてバンド部材２０の一方の端部２０Ａが斜め右下方に傾くことが懸念される。
【００５４】
ところが、本実施形態によると、図８および図９に示すように、バンド部材２０の電線接触面２２において第１弾性係止片４５の第１被係止面４６と、第１係止歯２３の第１係止面２５とが左右方向に係止すると共に、バンド部材２０が複数の第１弾性係止片４５に下方から支持されて第１支持壁４４に沿って配されているから、バンド部材２０が斜め右下方に強く引っ張られると、バンド部材２０の一方の端部２０Ａが収容部４２の支持壁（上側の内壁）に押し付けられた状態となる。言い換えると、バンド部材２０の一方の端部２０Ａが屈曲される側とは反対側の上側に配された左右に真っ直ぐ延びる第１支持壁４４に支持される。
【００５５】
つまり、バンド部材２０の一方の端部２０Ａが第１支持壁４４によって支持されることで収容部４２内において斜め右下方に傾くことが抑制され、バンド部材２０を収容部４２から真っ直ぐに右方に引き出すことができるから、第１ロック部４１から引き出されるバンド部材２０と第２ロック部５０から電線Ｗ側に引き出されるバンド部材２０との間の角度Ｒ５が略直角よりも小さくなることを抑制することができる。これにより、第１ロック部４１から引き出されるバンド部材２０と第２ロック部５０から電線Ｗ側に引き出されるバンド部材２０との間の角度が小さくなることに起因して第１ロック部４１と第２ロック部５０との間に隙間が生じることを抑制することができる。
【００５６】
また、本実施形態によると、図８から図９に示すように、収容部４２内には、複数の第１弾性係止片４５が設けられ、第１ロック部４１におけるバンド部材２０の保持力を高くしているから、バンド部材２０を引っ張った際に、バンド部材２０の引っ張りによってバンド部材２０が第１ロック部４１から外れてしまうことを抑制することができるようになっている。
【００５７】
ところで、一般に、バンド保持部から突出する余ったバンド部材は、他の部材の邪魔になったりするため、切断廃棄される。このため、バンド部材がバンド保持部に一体に形成された電線結束部材やバンド部材の両端部をバンド保持部に同時に係止させる電線結束部材の場合、大小のサイズの差はあるものの、バンド部材の一部を廃棄することになってしまう。
【００５８】
ところが、本実施形態によると、まず、バンド部材２０の一方の端部２０Ａを固定し、次に、バンド部材２０の他方の端部２０Ｂを第２ロック部５０に固定させる構成となっているから、余ったバンド部材２０を切断したとしても、余ったバンド部材２０を別のバンド保持部４０に組み付けて使用することができる。
すなわち、本実施形態によると、バンド部材２０を長めに準備することにより、余ったバンド部材２０を次のバンド保持部４０に再度利用することができるから、バンド部材２０の長さが短くなって電線に巻き付けることができなくなるまでバンド部材２０を破棄することなく、利用することができる。
【００５９】
＜他の実施形態＞
本明細書で開示される技術は上記記述及び図面によって説明した実施形態に限定されるものではなく、例えば次のような種々の態様も含まれる。
（１）上記実施形態では、第１ロック部４１から引き出されるバンド部材２０と第２ロック部５０から電線Ｗ側に引き出されるバンド部材２０との間の角度Ｒ５を略直角に構成した。しかしながら、これに限らず、第１ロック部から引き出されるバンド部材と第２ロック部から電線側に引き出されるバンド部材との間の角度を鋭角や鈍角に構成してもよい。
【００６０】
（２）上記実施形態では、バンド部材２０の第１係止歯２３と収容部４２の第１弾性係止片４５とを係止させ、バンド部材２０の第１係止歯２３とバンド挿通孔５１の第２弾性係止片５３とを係止させる構成とした。しかしながら、これに限らず、第１弾性係止片を収容部の上側の内壁に設けると共に、第２弾性係止片をバンド挿通孔の右側の内壁に設けることで、バンド部材の第１係止歯と収容部の第１弾性係止片とを係止させ、バンド部材の第２係止歯とバンド挿通孔の第２弾性係止片とを係止させる構成してもよい。
【００６１】
（３）上記実施形態では、収容部４２へのバンド部材２０の誤った組み付けを防止するために、電線非接触面２１に目印溝２９を構成した。しかしながら、これに限らず、バンド部材および収容部の開口部を台形状に形成するなどして収容部へのバンド部材の誤った組み付けを防止する構成にしてもよい。
（４）上記実施形態では、第１ロック部４１において収容部４２を右方にのみ開口した形態に形成し、バンド部材２０の一方の端部２０Ａが収容部４２内に収容される構成とした。しかしながら、これに限らず、第１ロック部に収容部を貫通した形態に構成し、バンド部材の一方の端部が収容部から露出した状態で収容されて保持される構成にしてもよい。
（５）上記実施形態では、収容部４２の内部空間における上下方向の高さ寸法およびバンド挿通孔５１の左右方向の長さ寸法が、バンド部材２０の厚さ寸法の２倍以上の寸法に設定されて構成とした。しかしながら、これに限らず、収容部の内部空間における上下方向の高さ寸法やバンド挿通孔の左右方向の長さ寸法は、バンド部材が収容可能な寸法に設定されていればよい。
【符号の説明】
【００６２】
１０：電線結束部材
２０：バンド部材
２０Ａ：バンド部材の一方の端部
２０Ｂ：バンド部材の他方の端部
２１：電線非接触面
２２：電線接触面
２３：第２係止歯
２６：第１係止歯
２９：目印溝（目印）
４０：バンド保持部
４１：第１ロック部
４２：収容部
４２Ａ：案内面
４４：第１支持壁（支持壁）
４５：第１弾性係止片（弾性係止片）
５０：第２ロック部
５１Ａ：案内面
Ｗ：電線
【図１】
2016188095.tif 000003
【図２】
2016188095.tif 000004
【図３】
2016188095.tif 000005
【図４】
2016188095.tif 000006
【図５】
2016188095.tif 000007
【図６】
2016188095.tif 000008
【図７】
2016188095.tif 000009
【図８】
2016188095.tif 000010
【図９】
2016188095.tif 000011
【図１０】
2016188095.tif 000012